(57)【特許請求の範囲】
【請求項１】
筐体の前面に、フロントパネルが固定される加熱調理器において、
前記フロントパネルは、前記筐体の前記前面に固定された状態で、前面部に前記筐体の前方に対して上部から下部にかけて斜め下方に傾斜する傾斜面が形成されたものであって、
前記フロントパネルの前記前面部の下部には、ネジを締める為の工具を前方から差し込む為の差込穴が設けられ、
前記差込穴の最奥部には、前記フロントパネルを前記筐体の前記前面に前記ネジで固定する為の固定穴が設けられ、
前記フロントパネルの下面には、前記差込穴の最奥部と連通し、前記固定穴を覗く為の覗き穴が設けられたこと
を特徴とする加熱調理器。
【請求項２】
前記差込穴と前記覗き穴との間には、前記差込穴に差し込まれる前記工具を前記最奥部にガイドする為のガイド部が形成されていること
を特徴とする請求項１に記載の加熱調理器。
【発明の詳細な説明】
【技術分野】
【０００１】
本発明は、筐体を備えた加熱調理器に関する。
【背景技術】
【０００２】
従来、コンロの筐体の前面に、フロントパネルがネジで固定されているものが知られている。フロントパネルの前面部は、ユーザから見て正面に位置すると共に、直接手で触れて操作する部位が多いことから、視認性及び操作性のよいことが望まれる。例えば、フロントパネルの前面部を、筐体の前方に対して上部から下部にかけて斜め下方に傾斜させた加熱調理器が知られている（例えば、特許文献１参照）。
【先行技術文献】
【特許文献】
【０００３】
【特許文献１】特開２０１４−５４４６６号公報
【発明の概要】
【発明が解決しようとする課題】
【０００４】
上記の加熱調理器は、フロントパネルの前面部を傾斜させていることから、フロントパネルの下側部分に前後方向に大きな厚みがある。この構造の場合、フロントパネルの正面下側部分には、ドライバー等の工具先端側を差し込む為の差込穴が設けられ、その最奥部に筐体に対してネジで固定する為の固定穴が設けられることになる。このため、差込穴に工具が差し込まれた状態では、差込穴が工具で塞がれてしまい、固定穴を目視することが難しく、作業が困難であった。さらに、フロントパネルの取付状態を確認できないため、フロントパネルの取付不良を未然に防ぐことが困難であった。
【０００５】
本発明の目的は、筐体に対するフロントパネルの取付作業の容易化を図ることができる加熱調理器を提供することである。
【課題を解決するための手段】
【０００６】
請求項１に係る発明の加熱調理器は、筐体の前面に、フロントパネルが固定される加熱調理器において、前記フロントパネルは、前記筐体の前記前面に固定された状態で、前面部に前記筐体の前方に対して上部から下部にかけて斜め下方に傾斜する傾斜面が形成されたものであって、前記フロントパネルの前記前面部の下部には、ネジを締める為の工具を前方から差し込む為の差込穴が設けられ、前記差込穴の最奥部には、前記フロントパネルを前記筐体の前記前面に前記ネジで固定する為の固定穴が設けられ、前記フロントパネルの下面には、前記差込穴の最奥部と連通し、前記固定穴を覗く為の覗き穴が設けられたことを特徴とする。
【０００７】
請求項２に係る発明の加熱調理器は、請求項１に記載の構成に加え、前記差込穴と前記覗き穴との間には、前記差込穴に差し込まれる前記工具を前記最奥部にガイドする為のガイド部が形成されていることを特徴とする。
【発明の効果】
【０００８】
請求項１に係る発明の加熱調理器では、差込穴の最奥部と連通する覗き穴が設けられているので、差込穴に差し込まれたドライバー等の工具、及び工具に磁着したネジの様子を目視で確認できる。これにより、取付作業の容易化を図ることができる。さらに、ネジの状態を目視で容易に確認できるので、フロントパネルが筐体の前面に正常に取り付けられているか否かを容易に把握できる。その結果、フロントパネルの取付不良を未然に防止できる。
【０００９】
請求項２に係る発明の加熱調理器では、請求項１に記載の効果に加え、差込穴に差し込まれる工具を最奥部にガイドすることができるので、覗き穴から工具先端を固定穴に狙いを定めて容易に差し込むことができる。
【図面の簡単な説明】
【００１０】
【図１】コンロ１の斜視図である。
【図２】図１に示すＷ１領域内の拡大図である。
【図３】コンロ１の前面の左前角部周囲を下方から見上げた状態の部分拡大図である。
【図４】図３に示すコンロ１において、工具差込穴４７にドライバー１００を差し込んだ状態の部分拡大図である。
【発明を実施するための形態】
【００１１】
以下、本発明の実施形態について、図面を参照して説明する。以下に記載されている装置の構造などは、特に特定的な記載がない限り、それのみに限定する趣旨ではなく、単なる説明例である。図面は、本発明が採用しうる技術的特徴を説明するために用いられるものである。なお、以下説明では、図１中に矢印で示す上下、左右、前後を使用する。
【００１２】
図１を参照して、ガスコンロ１の外観構造を説明する。ガスコンロ１は、略直方体状の筐体２を備える。筐体２は金属製であり、右側壁２１、左側壁（図示略）、前面２３、背面２４、底面２５を備え、上面が開口する略直方体状に形成されている。底面２５の四隅には、樹脂製の脚部２９（図３参照）が夫々設けられ、図示しないキッチン等に設けられたコンロ台等に載置される。筐体２の上部には、上面の開口を閉塞するように、天板３が取り付けられている。天板３の上面の右側には右コンロバーナ５、左側には左コンロバーナ６が設けられている。右コンロバーナ５と左コンロバーナ６に挟まれる部分の後方には、グリル排気口（図示略）が設けられている。グリル排気口は、筐体２内に設置されるグリル庫（図示略）から延びる排気筒（図示略）と連通し、グリル庫内の燃焼ガスを排出する。グリル排気口には、複数の孔を備える排気カバー８が上方から設置されている。
【００１３】
筐体２の前面２３の左右方向略中央部には、グリル庫７の前面に設けられたグリル開口（図示略）が設けられている。グリル開口の前側には、グリル扉１０が前後方向に移動可能に設けられている。グリル扉１０はグリル開口を開閉する。グリル扉１０の前面は、筐体２の前方に対して上部から下部にかけて斜め下方に傾斜している。グリル扉１０の前面の下部には、前方に突出する取手１０Ａが設けられている。ユーザは、グリル扉１０の取手１０Ａを手前側に引き出すと、グリル扉１０の背面下部に連結した受け皿（図示略）と焼き網を、グリル庫７内から同時に取り出すことができる。
【００１４】
筐体２の前面２３において、グリル扉１０の右側には、樹脂製の右側フロントパネル３１が固定され、グリル扉１０の左側には、樹脂製の左側フロントパネル３２が固定されている。右側フロントパネル３１の前面部の下側には、点火スイッチ１１，１２が左右方向に並んで設けられている。点火スイッチ１１は、グリル扉１０の右側に隣接して設けられ、右コンロバーナ５の点火・消火の操作を行う。点火スイッチ１２は、点火スイッチ１１の右隣に設けられ、グリル庫７内に設けられたグリルバーナ（図示略）の点火・消火の操作を行う。他方、左側フロントパネル３２の前面部の下側には、点火スイッチ１３、及び電池ケース１５が左右方向に並んで設けられている。点火スイッチ１３は、グリル扉１０の左側に隣接して設けられ、左コンロバーナ６の点火・消火の操作を行う。電池ケース１５は、点火スイッチ１３の左隣に設けられ、ガスコンロ１の電源として、例えば２つの乾電池を格納する。
【００１５】
そして、右側フロントパネル３１及び左側フロントパネル３２の夫々の前面部は、グリル扉１０の前面と同一角度で、前方に対して上部から下部にかけて斜め下方に傾斜している。それ故、ユーザが上方からガスコンロ１の前面を見下ろした場合、右側フロントパネル３１及び左側フロントパネル３２の夫々の前面部がユーザの目線に対向するので、ガスコンロ１の前面の視認性を向上できる。さらに、点火スイッチ１１〜１３は、ガスコンロ１の前側に位置するので、点火スイッチ１１〜１３の操作性を向上できる。また、前面が垂直に立設されたガスコンロと比較して、ガスコンロ１の前面のデザイン性を向上できる。
【００１６】
図１〜図３を参照し、左側フロントパネル３２の構造について説明する。なお、本実施形態の右側フロントパネル３１及び左側フロントパネル３２は、互いに略左右対称形状であるので、ここでは、左側フロントパネル３２を説明し、右側フロントパネル３１の説明は省略する。
【００１７】
左側フロントパネル３２は、正面視略矩形状で、且つ側面視前方に突出する一つの頂点を備える略三角形状に形成されている。左側フロントパネル３２の前面部の上下方向の中央よりも下側部分には、前方に突出し且つ左右方向に延びる突出部３２０が形成されている。その突出部３２０の上側には、第一傾斜面３２１が形成され、下側には第二傾斜面３２２が形成されている。左側フロントパネル３２の前後方向の厚みは、上部から突出部３２０に向かうに従い徐々に大きくなり、突出部３２０において最大となっている。それ故、左側フロントパネル３２の下側部分に前後方向に大きな厚みがある。
【００１８】
第一傾斜面３２１は、左側フロントパネル３２の前面部の大部分を形成し、筐体２の前方に対して上部から下部にかけて斜め下方に傾斜している。そのような第一傾斜面３２１の上側には、正面視略矩形状の操作パネル部３６が設けられている。操作パネル部３６には、例えば、図示しない各種設定ボタンや表示部等が設けられる。そして、第一傾斜面３２１の下側で、且つ操作パネル部３６の下方には、上述の点火スイッチ１３及び電池ケース１５が、突出部３２０に沿って左右方向に並んで設けられている。それ故、ガスコンロ１は、点火スイッチ１３及び電池ケース１５を前側に位置させることができるので、夫々の操作性を向上できる。
【００１９】
第二傾斜面３２２は、左側フロントパネル３２の前面部の下側を形成し、第一傾斜面３２１よりも面積が狭い。第二傾斜面３２２は、筐体２の後方に向けて上部から下部にかけて斜め下方に傾斜している。第二傾斜面３２２の下端部は、左側フロントパネル３２の下面３２３の前端部と連続している。第二傾斜面３２２の下側には、後方に向かって凹状に窪んだ凹部４５が左右方向に延びるようにして設けられている。凹部４５の前面４５Ａは、上部から下部にかけて後方に対して斜め下方にやや傾斜している。そのような前面４５Ａの左右方向の略中央には、点火スイッチ１３の操作を不能にするチャイルドロック４６が設けられている。
【００２０】
さらに、図３に示すように、前面４５Ａの左端側には、正面からドライバー１００（図４参照）を差し込む為の工具差込穴４７が設けられている。工具差込穴４７は、左側フロントパネル３２の前面の左下角部に位置し、正面視略円形状に形成されている。工具差込穴４７は、前面４５Ａから後方に向けて略水平に延びる。そして、工具差込穴４７の最奥部には、工具差込穴４７を閉塞する閉塞部５１が設けられ、該閉塞部５１には、パネル側固定穴５２が設けられている。このパネル側固定穴５２には、筐体２の前面２３の右下角部に設けられた筐体側固定穴（図示略）に締結するネジ６０が挿入される。
【００２１】
さらに、左側フロントパネル３２の下面３２３において、工具差込穴４７に対応する位置には、工具差込穴４７の最奥部と連通する覗き穴４８が設けられている。具体的には、覗き穴４８は、工具差込穴４７に対して左右方向における略同一位置で、且つ下面３２３の前端部よりも後方に所定距離離れた位置に設けられている。覗き穴４８は、前後方向に延びる底面視略長方形状に形成されている。覗き穴４８の左右方向の幅は、工具差込穴４７の左右方向の幅と略同一である。覗き穴４８の後端部は、工具差込穴４７の最奥部に位置する。覗き穴４８の前端部と下面３２３の前端部との間には、左右方向に延びる梁状のガイド部５５が形成されている。
【００２２】
図３，図４を参照し、ドライバー１００を工具差込穴４７に差し込んでネジ６０を締結する際の作業方法について説明する。作業者は、先ず、左側フロントパネル３２を筐体２の前面２３の左側に対向させ、筐体２側に設けられた複数の筐体側固定穴に対し、左側フロントパネル３２の複数のパネル側固定穴５２を夫々位置決めし、ネジ６０を夫々締結していく。ここで、左側フロントパネル３２の左下角部に設けられたパネル側固定穴５２は、工具差込穴４７の閉塞部５１に設けられている。それ故、例えば、磁力が付与されたドライバー１００の先端部にネジ６０を磁着させ、その状態で、工具差込穴４７にドライバー１００の先端部を差し込むと、工具差込穴４７はドライバー１００で閉塞されてしまうので、工具差込穴４７からでは、閉塞部５１に設けられたパネル側固定穴５２を目視で確認できない。
【００２３】
そこで、作業者は、下面３２３に設けられた覗き穴４８を覗くことによって、工具差込穴４７に差し込まれたドライバー１００の先端部、及び該先端部に磁着したネジ６０の様子を目視で確認できる。これにより、ネジ６０の取付作業の容易化を図ることができる。さらに、ネジ６０の状態を目視で容易に確認できるので、左側フロントパネル３２が筐体２の前面２３に正常に取り付けられているか否かを容易に把握できる。その結果、左側フロントパネル３２の取付不良を未然に防止できる。また、覗き穴４８は、工具差込穴４７の延びる方向に沿うようにして、前後方向に延びる底面視略長方形状に形成されているので、工具差込穴４７の内側を広く視認できる。これにより、工具差込穴４７から閉塞部５１まで差し込まれたドライバー１００の先端部の全体を明瞭に目視できる。
【００２４】
また、ドライバー１００の先端部は、工具差込穴４７と覗き穴４８との間に設けられたガイド部５５によって、閉塞部５１までガイドされる。これにより、作業者は、覗き穴４８を覗きながらドライバー１００の先端部をパネル側固定穴５２に狙いを定めて容易に差し込むことができる。なお、左側フロントパネル３２の固定作業は、例えば、筐体２の前側を作業台（図示略）の縁から前方に突出させ、左側フロントパネル３２の下面３２３の前側が下方から目視できるようにした状態で、工具差込穴４７にドライバー１００の先端部を差し込むとよい。
【００２５】
以上説明したように、本実施形態のガスコンロ１は筐体２を備える。筐体２の上部には天板３が取り付けられ、該天板３には右コンロバーナ５及び左コンロバーナ６が夫々設けられる。筐体２の前面２３には、右側フロントパネル３１及び左側フロントパネル３２が夫々固定される。右側フロントパネル３１及び左側フロントパネル３２は互いに略左右対称形状である。左側フロントパネル３２の前面部の下部には、前方に突出し且つ左右方向に延びる突出部３２０が設けられている。その突出部３２０の上側には、第一傾斜面３２１が設けられ、下側には第二傾斜面３２２が設けられている。第一傾斜面３２１は、筐体２の前方に対して上部から下部にかけて斜め下方に傾斜する。それ故、左側フロントパネル３２の下側部分（第二傾斜面３２２付近）には、前後方向に大きな厚みがある。
【００２６】
そのような左側フロントパネル３２の第二傾斜面３２２には、ドライバー１００の先端部を前方から差し込む為の工具差込穴４７が設けられている。その工具差込穴４７の最奥部に設けられた閉塞部５１には、パネル側固定穴５２が設けられている。左側フロントパネル３２の下面３２３には、工具差込穴４７の最奥部と連通する覗き穴４８が設けられている。これにより、工具差込穴４７に差し込まれたドライバー１００の先端部、及びドライバー１００の先端部に磁着したネジ６０の様子を覗き穴４８から目視で確認できるので、ネジ６０の取付作業の容易化を図ることができる。さらに、ネジ６０の状態を目視で容易に確認できるので、左側フロントパネル３２が筐体２の前面２３に正常に取り付けられているか否かを容易に把握できる。その結果、左側フロントパネル３２も取付不良を未然に防止できる。
【００２７】
また、上記実施形態では、工具差込穴４７と覗き穴４８との間には、梁状のガイド部５５が形成されている。ガイド部５５は、工具差込穴４７に差し込まれるドライバー１００の先端部を閉塞部５１にガイドすることができる。これにより、覗き穴４８からドライバー１００の先端部をパネル側固定穴５２に狙いを定めて容易に差し込むことができる。
【００２８】
以上説明において、右側フロントパネル３１及び左側フロントパネル３２が本発明の「フロントパネル」の一例であり、工具差込穴４７が本発明の「差込穴」の一例であり、パネル側固定穴５２が本発明の「固定穴」の一例である。
【００２９】
なお、本発明は上記実施形態に限定されるものではなく、種々の変更が可能である。本実施形態のガスコンロ１は、グリル付きテーブルコンロであるが、キッチンのカウンタトップに設置されるビルトインコンロであってもよい。また、ガスコンロに限らず、食材等を加熱調理する加熱調理器であればよく、例えば電磁調理器、グリル加熱装置等であってもよい。
【００３０】
また、上記実施形態の覗き穴４８は底面視略長方形状であるが、工具差込穴４７と連通し、且つ閉塞部５１に設けられたパネル側固定穴５２を目視できる形状であれば、その他の形状であってもよく、例えば丸、三角形、正方形、多角形等でもよい。
【００３１】
また、本実施形態の右側フロントパネル３１、及び左側フロントパネル３２は、筐体２の前方に対して上部から下部にかけて斜め下方に傾斜していることから、下側部分に前後方向に大きな厚みがあるものであるが、例えば、フロントパネルの前面部が垂直に立設されたガスコンロ等であって、前後方向に大きな厚みがあるものにも適用可能である。
【符号の説明】
【００３２】
１      ガスコンロ
２      筐体
３１      右側フロントパネル
３２      左側フロントパネル
４７      工具差込穴
４８      覗き穴
５２      パネル側固定穴
５５      ガイド部
６０      ネジ
１００      ドライバー
３２１      第一傾斜面
３２３      下面
【図１】
0006539542.tif 000002
【図２】
0006539542.tif 000003
【図３】
0006539542.tif 000004
【図４】
0006539542.tif 000005